(57)【要約】      （修正有）【課題】横仕切り板を縦仕切り板に組み付けたときに、縦仕切り板に対して横仕切り板が直交した状態を維持することができる中仕切りを提供する。【解決手段】縦仕切り板５の上縁部７から下方へ切込み９が設けられ、その切込みの下端から切り溝１１が形成されている。切り溝１１の上下の縁部１７，２０はそれぞれ、水平部１８、２１と傾斜部１９、２２とを備え、この傾斜部１９、２２と、切り溝の縦方向縁部１５の上下の端部近傍部分とで、横仕切り板２７のための係止部１０，１２を構成する。横仕切り板２７にはその幅方向中央において、上下の縁部２９，３１から縦方向に延びる上側切り溝３３と下側切り溝３５とが形成されている。中仕切り３を組み立てるには、下側切り溝３５の上側端部３６を縦仕切り板５の下側の係止部１２に、上側切り溝３３の下側端部３４を縦仕切り板５の上側の係止部１０内に位置させる。【選択図】図３
0003175852.tif 000002
【実用新案登録請求の範囲】
【請求項１】
縦仕切り板と横仕切り板とを組合わせて構成される包装容器用中仕切りにおいて、前記縦仕切り板には、その上側縁部から下方へ延びる切込みと、該切込の下側端部から下方へ伸びる切り溝とからなる取付け部が形成され、前記切り溝の縦方向縁部の一方は前記切込みの延長線上にあり、前記切り溝の他方の縦方向縁部は前記一方の縦方向縁部より上下に長く形成され、前記切り溝の上下縁部には、前記他方の縦方向縁部の上下端部へ向かって互いに遠ざかる方向に延びる傾斜部が形成され、前記横仕切り板には、その幅方向において同じ位置に、上下縁部から互いに向かって伸びる上側切り溝と下側切り溝が形成され、前記横仕切り板は、前記上側切り溝の底部と前記下側切り溝の底部がそれぞれ、前記縦仕切り板の前記切り溝の前記上下の傾斜部と前記他方の縦方向縁部の上下端部近傍部分とによりそれぞれ構成される上下の係止部に嵌った状態で前記縦仕切り板に取付けられることを特徴とする、包装容器用中仕切り。
【請求項２】
請求項１記載の包装容器用中仕切りにおいて、前記横仕切り板の前記下側切り溝の底部には、該底部から前記上側切り溝側へ延びる切込みが設けられていることを特徴とする、包装容器用中仕切り。
【請求項３】
請求項１又は２に記載の包装容器用中仕切りにおいて、前記縦仕切り板の前記切込みの切込み口には、斜めに切り欠かれたガイド部が形成されていることを特徴とする、包装容器用中仕切り。
【請求項４】
請求項１乃至３のいずれか１に記載の包装容器用中仕切りにおいて、前記縦仕切り板の前記取付け部は複数形成され、該複数の取付け部にそれぞれ横仕切り板が取付けられることを特徴とする、包装容器用中仕切り。
【請求項５】
請求項１乃至３のいずれか１に記載の包装容器用中仕切りにおいて、前記縦仕切り板の前記取付け部と前記横仕切り板の前記上下の切り溝はそれぞれ複数形成され、前記中仕切りは、前記横仕切り板の前記上下の切り溝の数と等しい数の縦仕切り板と、前記縦仕切り板の前記取付け部の数と等しい数の横仕切り板とで構成されることを特徴とする、包装容器用中仕切り。
【請求項６】
請求項１乃至５のいずれか１に記載の包装容器用中仕切りを備えていることを特徴とする、包装容器。
【考案の詳細な説明】
【技術分野】
【０００１】
本願考案は包装容器用中仕切りに関する。さらに詳細に言えば、包装容器の内部を複数の桝目状に間仕切りするために使用する中仕切りに関し、横仕切り板とそれに直交して組みつけられる縦仕切り板とで構成される中仕切りに関する。さらに本考案は、そのような中仕切りを備えた包装容器に関する。
【背景技術】
【０００２】
包装容器の内部を複数の小間に間仕切りするために、包装容器の縦幅に等しい幅の横仕切り板と横幅に等しい幅の縦仕切り板とを組合わせてなる中仕切りが知られている。例えば実公平４−９３０６号に開示された中仕切りにおいては、横仕切り板１に高さ方向の形成された切込み溝４は、その切込み口近傍の部分４aがＳ字状に蛇行し、残余の部分４ｂが深さ方向に直線状に形成され、その蛇行部分によって互いに反対方向に突出する突起片ＡとＢとを形成し、他方の縦仕切り片２には下側から直線状の切り溝５を、そして上辺側に切り溝６を形成し、その切り溝６に突起片Ａ，Ｂの形状に略一致する切欠部６a、６ｂを連接している。この構成により、横仕切り板を縦仕切り板にＸ字条に交差させて組付け、横仕切り板を１８０度回転させて横仕切り板を縦仕切り板に扁平に重ねて畳む。このようにして所用枚数の横仕切り板を組み付けた後、先と反対方向に横仕切り板を回転させて横仕切り板を開き、ケース内に入れてケース内を間仕切りするようになっている。
【０００３】
しかし上記した構成においては、横仕切り板を縦仕切り板に組み付けた状態において横仕切り板を回転できるので、それぞれの仕切り板に形成された切り溝４，５の幅は仕切り板の厚みより相当に広くしなければならない。従って、最後に９０度横仕切り板を回転させて横仕切り板を縦仕切り板に直交させても、その直交した状態に安定して維持することは難しく、取り扱い中に横仕切り板は縦仕切り板に対して回動してしまう。従ってケース内にこの中仕切りを入れてもケース内はきちんとした桝目状には仕切られておらず、各桝目に品物を入れる際に手で横仕切り板を動かして桝目状にしてやる必要があり、作業が面倒になる。
【先行技術文献】
【特許文献】
【０００４】
【特許文献１】実公平４−９３０６
【考案の概要】
【考案が解決しようとする課題】
【０００５】
本願考案は上記した問題点に鑑みなされたものであり、横仕切り板を縦仕切り板に組み付けたときに、縦仕切り板に対して横仕切り板が直交した状態を維持することができる中仕切りを提供することをその課題とする。
【課題を解決するための手段】
【０００６】
上記課題を解決するために本考案に係る縦仕切り板と横仕切り板とを組合わせて構成される包装容器用中仕切りにおいては以下のように構成した。すなわち、前記縦仕切り板には、その上側縁部から下方へ延びる切込みと、該切込の下側端部から下方へ伸びる切り溝とからなる取付け部が形成される。そして、前記切り溝の縦方向縁部の一方は前記切込みの延長線上にあり、前記切り溝の他方の縦方向縁部は前記一方の縦方向縁部より上下に長く形成される。そしてさらに、前記切り溝の上下縁部には、前記他方の縦方向縁部の上下端部へ向かって互いに遠ざかる方向に延びる傾斜部が形成される。一方前記横仕切り板には、その幅方向において同じ位置に、上下縁部から互いに向かって伸びる上側切り溝と下側切り溝が形成される。そして、前記横仕切り板は、前記上側切り溝の底部と前記下側切り溝の底部がそれぞれ、前記縦仕切り板の前記切り溝の前記上下の傾斜部と前記他方の縦方向縁部の上下端部近傍部分とによりそれぞれ構成される上下の係止部に嵌った状態で前記縦仕切り板に取付けられる。
一実施の形態においては、前記横仕切り板の前記下側切り溝の底部に、該底部から前記上側切り溝側へ延びる切込みを設けられている。
他の実施の形態においては、前記縦仕切り板の前記切込みの切込み口に、斜めに切り欠かれたガイド部が形成されている。
さらに他の実施の形態では、前記縦仕切り板の前記取付け部は複数形成され、該複数の取付け部にそれぞれ横仕切り板が取付けられる。
さらに他の実施の形態では、前記縦仕切り板の前記取付け部と前記横仕切り板の前記上下の切り溝はそれぞれ複数形成され、前記中仕切りは、前記横仕切り板の前記上下の切り溝の数と等しい数の縦仕切り板と、前記縦仕切り板の前記取付け部の数と等しい数の横仕切り板とで構成される。
さらにまた、上記課題を解決するために本願発明は、上記した構成を備えた包装容器用中仕切りを備えている包装容器を提供する。
【考案の効果】
【０００７】
上記の構成を備えているので、横仕切り板を縦仕切り板に取付けると、横仕切り板の上下の切り溝の下側端部と上側端部とがそれぞれ縦仕切り板の切り溝の上下の係止部にそれぞれ嵌るので、横仕切り板と縦仕切り板とは互いに抜け止めされた状態で組立てられることとなる。また、横仕切り板の上側切り溝の下側端部と下側切り溝の上側端部とはそれぞれ、縦仕切り板の上下の係止部の横方向での幅が横仕切り板の厚みに等しい部分に係合するので、この係合する部分において縦仕切り板と横仕切り板との間に遊びが存在しないので、横仕切り板が縦仕切り板に対してぐらつくことが無く、横仕切り板は縦仕切り板に対して直交して取付けられた姿勢を安定的に維持できる。また、下側切り溝の上側端部に切込みを形成し、下側切り溝の長さを若干短くして、この切込みが縦仕切り板の下側の係止部の部分に嵌るようにすると、さらに両者の姿勢を維持するのに貢献する。
【図面の簡単な説明】
【０００８】
【図１】本考案の中仕切りを使用する一例としての包装容器の斜視図である。
【図２】本考案の一実施の形態にかかる中仕切りの斜視図である。
【図３】（Ａ）は中仕切りを構成する縦仕切り板の正面図であり、（Ｂ）は中仕切りを構成する横仕切り板の正面図である。
【考案を実施するための形態】
【０００９】
以下、図面を参照して本考案の一実施の形態に係る中仕切りを説明する。図１は本考案の中仕切りを使用する容器１の斜視図であり、図２は本考案の中仕切り３の斜視図である。容器１はボール紙などで作られ、略直方体の形をしている。中仕切り３もボール紙などで作成され、この実施の形態では、後述する一枚の縦仕切り板５と２枚の横仕切り板２７    とで構成される。図１，２に示すように、容器１の内部の横寸法Ａと縦寸法Ｂとはそれぞれ中仕切り３の縦仕切り板５の幅と横仕切り板２７の幅にそれぞれ略等しく、図２の中仕切りを使用することにより、図１の容器の内部は６つの区画に仕切られることとなる。
【００１０】
次に図３（Ａ）を参照して縦仕切り板５について説明する。縦仕切り板５は矩形の形をした板状の部材であり、その上縁部７から下方へ所定の長さの切込み９が２箇所（縦仕切り板５をその幅方向で３等分する位置）で設けられ、その切込み９の下端から横方向（図示の例では左右方向）及び縦方向（下方）にそれぞれ所定の幅で形成された切り溝１１が形成されている。切込み９と切り溝１１とで、後述する横仕切り板２７のための取付け部８を構成する。図から判るとおり、切り溝１１の一方（図３において右側）の縦方向縁部１３は切り込み９の延長線上にある。そして他方（図３において左側）の縦方向縁部１５は、一方の縦方向縁部１３より上下に若干長くなっている。
【００１１】
切り溝１１の上下の縁部１７，２０はそれぞれ、一方の縦方向縁部１３の上下端部から他方の縦方向縁部１５側へ水平に延びる水平部１８、２１と、水平部１８，２１の端部から互いに遠ざかるように斜めに、それぞれ縦方向端部１３の上下端部まで伸びる傾斜部１９、２２とを備えている。この傾斜部１９、２２と、それぞれが繋がる他方の縦方向縁部１５の上下の端部近傍部分とで、後述する横仕切り板２７のための係止部１０，１２を構成する。なお、切込み９の切込み口には斜めにカットしたガイド部２５が形成されている。
【００１２】
次に図３（Ｂ）を参照して横仕切り板２７について説明する。横仕切り板２７の縦方向（図３（Ｂ）において上下方向）での幅は縦仕切り板５の縦方向での幅と略等しくなっている。横仕切り板２７にはその幅方向中央において、上下の縁部２９，３１から縦方向に延びる上側切り溝３３と下側切り溝３５とが形成されている。上側切り溝３３の下側端部３４と下側切り溝３５の上側端部３６との間の距離は、縦仕切り板５の上下の係止部１０，１２の先端間の距離と略同じである。
【００１３】
中仕切り３を組み立てるには、先ず横仕切り板２７を縦仕切り板５に対して直交させた状態で、下側切り溝３５を縦仕切り板５の切り溝１１の位置に合わせて上方から差し込み、切り込み９に沿って移動させ、少し斜めにして下側切り溝３５の上側端部３６を下側の係止部１２内に位置させる。この差し込みの際、カットしたガイド部２５が切込み９へのガイドとして機能する。次いで横仕切り板２７の上縁部２９側を若干湾曲させた状態にして上側切り溝３３の下側端部３４を縦仕切り板５の上側の係止部１０内に位置させる。これにより、横仕切り板２７と縦仕切り板５とは互いに抜け止めされた状態で組立てられたこととなる。また、横仕切り板２７の上側切り溝３３の下側端部３４と下側切り溝３５の上側端部３６とはそれぞれ、縦仕切り板５の上下の係止部１０，１２の横方向（図３において左右方向）での幅が横仕切り板２７の厚みに等しい部分に係合するので、この係合する部分において縦仕切り板５と横仕切り板２７との間に遊びが存在しないので、横仕切り板２７が縦仕切り板５に対してぐらつくことが無く、横仕切り板２７は縦仕切り板５に対して直交して取付けられた姿勢を安定的に維持できる。また、下側切り溝３５の上側端部３６に切込み３７が形成されているので、下側切り溝３５の長さを若干短くして、この切込み３７が縦仕切り板５の下側の係止部１２の部分に嵌るようにすると、さらに両者の姿勢を維持するのに貢献する。
【図１】
0003175852.tif 000003
【図２】
0003175852.tif 000004
【図３】
0003175852.tif 000005